(57)【要約】【課題】吸収体の股下域のフィット性を高めるとともに、体液の横漏れを抑制できる吸収性物品を提供する。【解決手段】吸収性物品１の第１立体ギャザー５Ａと第２立体ギャザー５Ｂのそれぞれは、起立部５３と、起立部よりも長手方向両外側に配置された第１基端部５１と、起立部よりも幅方向の外側に配置された第２基端部５２と、を有する。第１基端部は、吸収体の外側縁よりも幅方向の内側に位置する。第２基端部は、吸収体の外側縁よりも幅方向の外側に位置する。圧搾溝は、一対の第１圧搾溝８１と、長手方向に延びかつ互いに非平行に配置された複数の第２前側圧搾溝８２１、第２後側圧搾溝８２２と、を有する。複数の第２圧搾溝によって挟まれた前側圧搾領域Ｒ８２１、後側圧搾領域Ｒ８２２は、第１立体ギャザーの第１基端部の内端縁における内側縁５１１と第２立体ギャザーの第１基端部の内端縁における内側縁５１２とを繋ぐ仮想線ＶＬ上に設けられている。【選択図】図１
2018000248.tif 000002
【特許請求の範囲】
【請求項１】
互いに直交する長手方向及び幅方向と、
少なくとも着用者の股下に配置される股下域に配置された吸収体と、
前記吸収体よりも肌対向面側に配置された肌面シートと、
少なくとも前記吸収体に形成された圧搾溝と、
前記吸収体の前記幅方向の中心よりも前記幅方向の両外側にそれぞれ配置された第１立体ギャザー及び第２立体ギャザーと、を備えた吸収性物品であって、
前記第１立体ギャザーと前記第２立体ギャザーのそれぞれは、
弾性部材によって前記長手方向に収縮し、かつ肌対向面側に起立可能な起立部と、
前記起立部よりも前記長手方向の両外側のそれぞれに配置され、かつ前記肌面シートに固定された第１基端部と、
前記起立部よりも前記幅方向の外側に配置され、かつ前記肌面シートに固定された第２基端部と、を有し、
前記第１基端部は、前記吸収体の外側縁よりも前記幅方向の内側に配置され、
前記第２基端部は、前記股下域において前記吸収体の外側縁よりも前記幅方向の外側に配置されており、
前記圧搾溝は、前記股下域において前記吸収体の前記幅方向の中心よりも前記幅方向の両外側のそれぞれに配置され、かつ前記長手方向に延びる一対の第１圧搾溝と、前記長手方向に延び、かつ互いに非平行に配置された複数の第２圧搾溝と、を有し、
前記複数の第２圧搾溝によって挟まれた圧搾領域は、前記第１立体ギャザーの前記第１基端部の内端縁における内側縁と前記第２立体ギャザーの前記第１基端部の内端縁における内側縁とを繋ぐ仮想線上に設けられている、吸収性物品。
【請求項２】
前記圧搾領域は、前記起立部よりも後側に位置する前記第１基端部同士の間に設けられている、請求項１に記載の吸収性物品。
【請求項３】
前記第１圧搾溝と前記第２圧搾溝は、前記吸収性物品の平面視において離間している、請求項１又は請求項２に記載の吸収性物品。
【請求項４】
前記第１圧搾溝と前記第２圧搾溝の前記長手方向における間には、周囲の吸収体よりも目付が低い低目付領域が設けられている、請求項３に記載の吸収性物品。
【請求項５】
前記第１圧搾溝と前記第２圧搾溝の間には、前記吸収性物品を下着に接合するための接合部と重ならない領域が設けられている、請求項３又は請求項４に記載の吸収性物品。
【請求項６】
前記第１圧搾溝と前記第１基端部とは、前記長手方向において離間している、請求項１から請求項４のいずれかに記載の吸収性物品。
【請求項７】
前記吸収性物品を下着に接合するための接合部を備えており、
前記吸収性物品の平面視にて、前記接合部は、前記仮想線を跨いて配置されている、請求項１から請求項６のいずれかに記載の吸収性物品。
【請求項８】
前記股下域にウイングが設けられており、
前記第２基端部は、前記ウイングを構成するウイングシートに固定されている、請求項１から請求項７のいずれかに記載の吸収性物品。
【請求項９】
前記吸収体の外側縁と前記第１圧搾溝との前記幅方向における距離をＬ１、前記第１基端部の前記内端縁における前記内側縁と前記第２基端部との前記幅方向における距離をＬ２とした場合に、
Ｌ２の２倍の長さは、Ｌ１よりも長いことを特徴とする、請求項１から請求項８のいずれかに記載の吸収性物品。
【発明の詳細な説明】
【技術分野】
【０００１】
本発明は、生理用ナプキン等の吸収性物品に関する。
【背景技術】
【０００２】
特許文献１には、股下域において吸収体の幅方向の中心よりも幅方向の両外側のそれぞれに配置され、かつ長手方向に延びる一対の圧搾溝を有する吸収性物品が開示されている。着用時に吸収性物品には、幅方向の外側から幅方向の内側に向かう力がかかる。特許文献１の吸収性物品は、幅方向の外側から幅方向の内側に向かう力がかかった際に圧搾溝を基点として変形し、圧搾溝間の領域が隆起する。圧搾溝間の領域は、肌対向面側に隆起し、身体にフィットするように構成される。
【０００３】
また、特許文献１の吸収性物品は、肌対向面側に起立可能な一対の立体ギャザーを有する。各立体ギャザーは、弾性部材によって長手方向に収縮し、かつ肌対向面側に起立可能な起立部と、起立部よりも幅方向の外側に配置され、かつ肌面シートに固定された基端部と、を有する。立体ギャザーは、着用時に基端部を基点にして肌対向面側に起立するように構成されている。
【先行技術文献】
【特許文献】
【０００４】
【特許文献１】特開２０１２−１５７４５９号公報
【発明の概要】
【発明が解決しようとする課題】
【０００５】
特許文献１の吸収性物品において、圧搾溝間の領域が肌対向面側に隆起すると、圧搾溝よりも幅方向の外側に位置する吸収体は、幅方向の内側に移動する。特許文献１の立体ギャザーの基端部は、圧搾溝よりも幅方向の外側において吸収体上に固定されており、圧搾溝間の領域の変形に伴い、吸収体と共に幅方向の内側に移動する。そのため、起立部を含む立体ギャザー全体が幅方向の内側に移動し、立体ギャザーが吸収体を覆うことによる体液の引き込み性が低下し、体液の横漏れが発生することがある。また、立体ギャザーの起立部が幅方向の内側にずれることにより、着用者の排泄口の側方で起立部が起立せず、体液の横漏れが発生するおそれがある。
【０００６】
本発明は、上述の課題に鑑みてなされたものであり、吸収体の股下域のフィット性を高めるとともに、体液の横漏れを抑制できる吸収性物品を提供することを目的とする。
【課題を解決するための手段】
【０００７】
本開示に係る吸収性物品は、互いに直交する長手方向及び幅方向と、少なくとも着用者の股下に配置される股下域に配置された吸収体と、前記吸収体よりも肌対向面側に配置された肌面シートと、少なくとも前記吸収体に形成された圧搾溝と、前記吸収体の前記幅方向の中心よりも前記幅方向の両外側にそれぞれ配置された第１立体ギャザー及び第２立体ギャザーと、を備えた吸収性物品であって、前記第１立体ギャザーと前記第２立体ギャザーのそれぞれは、弾性部材によって前記長手方向に収縮し、かつ肌対向面側に起立可能な起立部と、前記起立部よりも前記長手方向の両外側のそれぞれに配置され、かつ前記肌面シートに固定された第１基端部と、前記起立部よりも前記幅方向の外側に配置され、かつ前記肌面シートに固定された第２基端部と、を有し、前記第１基端部は、前記吸収体の外側縁よりも幅方向の内側に配置され、前記第２基端部は、前記股下域において前記吸収体の外側縁よりも幅方向の外側に配置されており、前記圧搾溝は、前記股下域において前記吸収体の前記幅方向の中心よりも前記幅方向の両外側のそれぞれに配置され、かつ前記長手方向に延びる一対の第１圧搾溝と、前記長手方向に延び、かつ互いに非平行に配置された複数の第２圧搾溝と、を有し、前記複数の第２圧搾溝によって挟まれた圧搾領域は、前記第１立体ギャザーの前記第１基端部の内端縁における内側縁と前記第２立体ギャザーの前記第１基端部の内端縁における内側縁とを繋ぐ仮想線上に設けられていることを要旨とする。
【発明の効果】
【０００８】
本発明に係る吸収性物品によれば、吸収体の股下域のフィット性を高めるとともに、体液の横漏れを抑制できる。
【図面の簡単な説明】
【０００９】
【図１】一実施形態における吸収性物品の平面図である。
【図２】図１に吸収性物品の背面図である。
【図３】図１に示すＡ−Ａ線に沿った吸収性物品の断面図である。
【図４】図１に示すＢ−Ｂ線に沿った吸収性物品の断面図である。
【図５】図１に示すＣ−Ｃ線に沿った吸収性物品の断面図である。
【図６】図１のＡ−Ａ線を基準とした着用状態の吸収性物品の断面図である。
【図７】吸収性物品の着用時の変形態様を説明するための模式平面図であり、変形前の状態を示している。
【図８】吸収性物品の着用時の変形態様を説明するための模式平面図であり、変形後の状態を示している。
【発明を実施するための形態】
【００１０】
本明細書及び添付図面の記載により、少なくとも以下の事項が明らかとなる。
互いに直交する長手方向及び幅方向と、
少なくとも着用者の股下に配置される股下域に配置された吸収体と、
前記吸収体よりも肌対向面側に配置された肌面シート（トップシート１１、サイドシート１２）と、少なくとも前記吸収体に形成された圧搾溝（圧搾溝８０）と、前記吸収体の前記幅方向の中心よりも前記幅方向の両外側にそれぞれ配置された第１立体ギャザー（第１立体ギャザー５Ａ）及び第２立体ギャザー（第２立体ギャザー５Ｂ）と、を備えた吸収性物品であって、
前記第１立体ギャザーと前記第２立体ギャザーのそれぞれは、
弾性部材（弾性部材１５）によって前記長手方向に収縮し、かつ肌対向面側に起立可能な起立部（起立部５３）と、
前記起立部よりも前記長手方向の両外側のそれぞれに配置され、かつ前記肌面シートに固定された第１基端部（第１基端部５１）と、
前記起立部よりも前記幅方向の外側に配置され、かつ前記肌面シートに固定された第２基端部（第２基端部５２）と、を有し、
前記第１基端部は、前記吸収体の外側縁よりも幅方向の内側に配置され、
前記第２基端部は、前記股下域において前記吸収体の外側縁よりも幅方向の外側に配置されており、
前記圧搾溝は、前記股下域において前記吸収体の前記幅方向の中心よりも前記幅方向の両外側のそれぞれに配置され、かつ前記長手方向に延びる一対の第１圧搾溝（第１圧搾溝８１）と、前記長手方向に延び、かつ互いに非平行に配置された複数の第２圧搾溝（第２前側圧搾溝８２１、第２後側圧搾溝８２２）と、を有し、
前記複数の第２圧搾溝によって挟まれた圧搾領域（前側圧搾領域Ｒ８２１、後側圧搾領域Ｒ８２２）は、前記第１立体ギャザーの前記第１基端部の内端縁における内側縁（第１基端部の内端縁における内側縁５１１）と前記第２立体ギャザーの前記第１基端部の内端縁における内側縁（第１基端部５１の内端縁における内側縁５１２）とを繋ぐ仮想線（仮想線ＶＬ）上に設けられている、吸収性物品。
【００１１】
着用時に吸収性物品には、幅方向の外側から幅方向の内側に向かう力がかかる。当該力が股下域に掛かることにより、第１圧搾溝間の領域は、第１圧搾溝を起点として肌対向面側に隆起する。第１圧搾溝間の領域が肌対向面側に隆起することにより、股下域におけるフィット性を高めることができる。
【００１２】
股下域の吸収体の外側縁は、第１圧搾溝間の領域が肌対向面側に隆起することによって、幅方向の内側に移動する。このとき、第２基端部は、股下域において吸収体の外側縁よりも幅方向の外側に配置されており、吸収体と共に移動せず、吸収体に引っ張られて幅方向の内側に移動する。よって、立体ギャザー全体が吸収体と共に幅方向の内側に移動せず、立体ギャザーの幅方向の内側への移動量を吸収体の外側縁の幅方向の内側への移動量よりも少なくできる。よって、着用者の股下部の側方の位置において立体ギャザーを起立させ、体液の横漏れを抑制できる。
【００１３】
立体ギャザーは、第１基端部及び第２基端部を基点に立ち上がる。立体ギャザーの頂部は、第１基端部の内端縁における内側縁同士を繋ぐように形成される。このとき、第１基端部が第２基端部よりも幅方向の内側に位置しており、立体ギャザーが肌面シートから起立可能な領域の幅方向の長さを確保できる。当該起立可能な空間によって体液を一時的に保持し、体液の横漏れを防止できる。
【００１４】
第１立体ギャザーの第１基端部の内端縁における内側縁と第２立体ギャザーの第１基端部の内端縁における内側縁の間には、第２圧搾溝によって挟まれた圧搾領域が設けられている。圧搾領域は、複数の第２圧搾溝が非平行に配置されているため、面形状となり易い。第１立体ギャザーの第１基端部及び第２立体ギャザーの第１基端部は、着用時に幅方向の内側に向かう力がかかった際に圧搾領域によって幅方向の内側に移動し難い。よって、着用時に立体ギャザーの頂部が幅方向の内側に移動することを抑制し、立体ギャザーの起立性を維持し、体液の横漏れを抑制できる。かかる吸収性物品によれば、吸収体の股下域のフィット性を高めるとともに、体液の横漏れを抑制できる。
【００１５】
かかる吸収性物品であって、
前記圧搾領域は、前記起立部よりも後側に位置する前記第１基端部同士の間に設けられていることが望ましい。
【００１６】
このような吸収性物品によれば、臀部間の隙間にフィットするように吸収体が肌対向面側に隆起した際に、起立部よりも後側に位置する第１基端部が幅方向の内側に移動することを抑制し、立体ギャザーを臀部の膨らみの側方に配置し易くなる。よって、立体ギャザーによって体液の横漏れを防止できる。
【００１７】
かかる吸収性物品であって、
前記第１圧搾溝と前記第２圧搾溝は、前記吸収性物品の平面視において離間していることが望ましい。
【００１８】
このような吸収性物品によれば、第１圧搾溝の変形と第２圧搾溝の変形とが互いに影響し難くなり、第１圧搾溝を基点として肌対向面側に隆起した吸収体の変形状態と、第２圧搾溝によって挟まれた圧搾領域における吸収体の平面を維持する状態と、をそれぞれ実現しやすくなる。よって、体液の横漏れの抑制効果と、吸収体の股下域のフィット性の向上効果と、をより両立し易くなる。
【００１９】
かかる吸収性物品であって、
前記第１圧搾溝と前記第２圧搾溝の間には、周囲の吸収体よりも目付が低い低目付領域（低目付領域３２）が設けられていることが望ましい。
【００２０】
このような吸収性物品によれば、低目付領域によって、第１圧搾溝を基点として肌対向面側に隆起した吸収体の変形が圧搾領域に伝わることを抑制し、第１圧搾溝を基点として肌対向面側に隆起した吸収体の変形状態と、第２圧搾溝によって挟まれた圧搾領域における吸収体の平面を維持する状態と、をそれぞれより実現しやすくなる。よって、体液の横漏れの抑制効果と、吸収体の股下域のフィット性の向上効果と、をより両立し易くなる。
【００２１】
かかる吸収性物品であって、
前記第１圧搾溝と前記第２圧搾溝の間には、吸収性物品を下着に接合するための接合部（接合部６０）と重ならない領域が設けられていることが望ましい。
【００２２】
吸収性物品を下着に接合するための接合部と重ならない領域は、着用状態で下着に接合されてないため、着用時に変形し易い。吸収性物品を下着に接合するための接合部と重ならない領域によって、第１圧搾溝を基点として肌対向面側に隆起した吸収体の変形が圧搾領域に伝わることを抑制できる。よって、体液の横漏れの抑制効果と、吸収体の股下域のフィット性の向上効果と、をより両立し易くなる。
【００２３】
かかる吸収性物品であって、
前記第１圧搾溝と前記第１基端部とは、前記長手方向において離間していることが望ましい。
【００２４】
このような吸収性物品によれば、第１圧搾溝は、着用時に変形基点となり、第１圧搾溝間の領域の隆起に伴って幅方向の内側に移動する。第１圧搾溝と第１基端部とが長手方向において離間しているため、第１圧搾溝の幅方向の内側への移動に伴って第１基端部が幅方向の内側に移動することを抑制できる。よって、着用時に立体ギャザーの頂部が幅方向の内側に移動することを抑制し、立体ギャザーの起立性を維持し、体液の横漏れを抑制できる。
【００２５】
かかる吸収性物品であって、
前記吸収性物品を下着に接合するための接合部を備えており、
前記吸収性物品の平面視にて、前記接合部は、前記仮想線を跨いて配置されていることが望ましい。
【００２６】
このような吸収性物品によれば、第１立体ギャザーの頂部の基点と第２立体ギャザーの頂部の基点との間に、下着に固定され、かつ着用時に変形し難い領域が設けられる。よって、吸収体が肌対向面側に隆起するように変形した際に、立体ギャザーの頂部の基点が幅方向の内側に移動することを抑制し、立体ギャザーの起立性をより維持し、体液の横漏れを抑制できる。
【００２７】
かかる吸収性物品であって、
前記股下域にウイング（ウイング３）が設けられており、
前記第２基端部は、前記ウイングを構成するウイングシートに固定されていることが望ましい。
【００２８】
このように構成された吸収性物品を下着に装着する際は、吸収性物品の幅方向の中央を下着の肌対向面に固定した状態で、ウイングを下着の非肌対向側に引っ張って、当該ウイングを下着の非肌対向面に固定する。ウイングを構成するウイングシートに第２基端部が固定されているため、装着時に第２基端部が幅方向の外側に引っ張られる。よって、装着時に第２基端部の位置が幅方向の外側に移動し易くなり、排泄口の側方において立体ギャザーの起立性を維持でき、横漏れを抑制できる。
【００２９】
かかる吸収性物品であって、
前記吸収体の外側縁と前記第１圧搾溝との前記幅方向における距離をＬ１、前記第１基端部の前記内端縁における前記内側縁と前記第２基端部との前記幅方向における距離をＬ２とした場合に、
Ｌ２の２倍の長さがＬ１よりも長いことを特徴とする、請求項１から請求項８のいずれかに記載の吸収性物品。
【００３０】
立体ギャザーの頂部は、第１基端部の内端縁における内側縁同士を繋ぐように形成される。着用時に幅方向の内側に向かう力がかかると、吸収体は、第１圧搾溝を変形基点として、第１圧搾溝よりも幅方向の内側の領域が肌対向面側に隆起し、また吸収体が押圧されて、吸収体の幅方向の長さが短くなる。この幅方向の内側に掛かる力は、着用者の両脚を介して伝わるため、股下域の長手方向における中央に最も強く掛かり、股下域の長手方向における中央から長手方向の外側にいくにつれて弱くなる。そのため、股下域の長手方向における中央に位置する吸収体の移動量は、第１基端部が配置された吸収体の移動量よりも大きい。
【００３１】
股下域の長手方向における中央に位置する吸収体の幅方向における移動量は、各立体ギャザーにおいて吸収体の外側縁と第１圧搾溝との距離となる。第１圧搾溝と吸収体の外側縁の間の領域は、第１圧搾溝よりも幅方向の内側の領域と比較して剛性が低いためである。
【００３２】
このとき、吸収体の移動量Ｌ１がＬ２よりも短い場合には、吸収体の外側縁は、立体ギャザーの頂部よりも幅方向の外側に位置している。また、吸収体の移動量Ｌ１がＬ２と同じ長さである場合には、吸収体の外側縁は、立体ギャザーの頂部の直下に位置する。更に、吸収体が幅方向の内側に移動し、吸収体の移動量Ｌ１がＬ２の２倍よりも長くなると、吸収体の移動に伴って第２基端部が幅方向に引っ張られる。Ｌ２の２倍の長さよりもＬ１が短いことにより、吸収体が幅方向の内側に移動した際に、吸収体と共に第２基端部が幅方向の内側に移動し難くなる。よって、立体ギャザー全体が幅方向の内側に移動することを抑制し、立体ギャザーの起立性を維持することができる。
【００３３】
＝＝＝本実施の形態に係る吸収性物品について＝＝＝
以下、図面を参照して、実施形態に係る吸収性物品ついて説明する。以下の実施形態では、吸収性物品の一例として使い捨ての生理用ナプキンについて説明する。
【００３４】
なお、以下の図面の記載において、同一又は類似の部分には、同一又は類似の符号を付している。ただし、図面は模式的なものであり、各寸法の比率等は現実のものとは異なる場合があることに留意すべきである。したがって、具体的な寸法等は、以下の説明を参酌して判断すべきである。また、図面相互間においても互いの寸法の関係や比率が異なる部分が含まれ得る。
【００３５】
（１）吸収性物品の全体概略構成
図１は、一実施形態における吸収性物品の平面図である。図２は、図１に吸収性物品の背面図である。図３は、図１に示すＡ−Ａ線に沿った吸収性物品の断面図である。図４は、図１に示すＢ−Ｂ線に沿った吸収性物品の断面図である。図５は、図１に示すＣ−Ｃ線に沿った吸収性物品の断面図である。図６は、図１のＡ−Ａ線を基準とした着用状態の吸収性物品の断面図である。なお、図１〜図５に示す図は、後述する立体ギャザーを構成するサイドシートに皺が形成されてなくなるまで、立体ギャザーの弾性部材を伸長させた状態の図である。そのため、図１〜図５に示す図において、立体ギャザーは、起立していない。図６に示す着用状態の図において、立体ギャザーは、起立している。
【００３６】
吸収性物品１は、互いに直交する長手方向Ｌと幅方向Ｗを有し、かつ着用者の肌対向面側Ｔ１から非肌対向面側Ｔ２へ延びる厚み方向Ｔを有する。肌対向面側Ｔ１は、使用時に、着用者の肌に面する側に相当する。非肌対向面側Ｔ２は、使用時に、肌対向面側Ｔ１とは反対側、すなわち着用者の肌とは反対に向けられる側に相当する。
【００３７】
吸収性物品１は、股下域Ｓ１、前側域Ｓ２及び後側域Ｓ３を有する。股下域Ｓ１は、着用者の排泄口、例えば膣口に対向する領域である。吸収性物品１が下着に装着されたときに、股下域Ｓ１は下着の股下部に配置され、着用者の両足の間に配置される領域である。前側域Ｓ２は、股下域Ｓ１よりも前側に位置する。前側域Ｓ２の前端縁は、吸収性物品１の前端縁を規定する。後側域Ｓ３は、股下域Ｓ１よりも後方に位置する。後側域Ｓ３の後端縁は吸収性物品１の後端縁を規定する。
【００３８】
吸収性物品１は、ウイング３及びヒップフラップ４を有する。ウイング３及びヒップフラップ４は、股下域Ｓ１における吸収体３０の外側縁よりも幅方向Ｗの外側に延出している。ウイング３は、股下域Ｓ１に設けられている。ウイング３の前端縁は、ウイング３の付け根によって規定されており、最も幅方向Ｗの内側に窪んだ２つの部分のうち、前側に位置する部分に相当する。ウイング３の前端縁は、股下域Ｓ１と前側域Ｓ２との境界を規定する。ウイング３の後端縁は、ウイング３の付け根によって規定されており、最も幅方向Ｗの内側に窪んだ２つの部分のうち、後側に位置する部分に相当する。ウイング３の後端縁は、股下域Ｓ１と後側域Ｓ３との境界を規定する。股下域Ｓ１の長手方向Ｌの中心は、ウイングの長手方向の中心と一致する。ヒップフラップ４は、後側域Ｓ３に設けられている。
【００３９】
吸収性物品１は、肌面シート１０、非肌面シート２０及び吸収体３０を有する。肌面シート１０は、吸収体３０よりも肌対向面側Ｔ１に設けられる。非肌面シート２０は、吸収体３０よりも非肌対向面側Ｔ２に設けられる。吸収体３０は、肌面シート１０と非肌面シート２０との間に設けられる。
【００４０】
吸収体３０は、少なくとも股下域Ｓ１に配置されている。吸収体３０は、液体を吸収する吸収材料からなる吸収コア（図示せず）と、吸収コアを包むコアラップ（図示せず）と、を有する。吸収体３０は、周囲の吸収体よりも目付が高い高目付領域３１と、周囲の吸収体よりも目付が低い低目付領域３２と、を有する。高目付領域３１は、股下域Ｓ１に設けられている。低目付領域３２は、高目付領域３１の後側であって、股下域Ｓ１と後側域Ｓ３とに配置されている。低目付領域３２の幅方向の長さは、高目付領域３１の幅方向の長さよりも短い。少なくとも吸収体３０には、圧搾溝８０が形成されている。本実施の形態の圧搾溝８０は、トップシート１１と吸収体３０に形成されている。圧搾溝８０については、後述にて詳細に説明する。
【００４１】
肌面シート１０は、トップシート１１及びサイドシート１２を有する。トップシート１１は、体液等の液体を透過する液透過性のシートである。サイドシート１２は、幅方向Ｗにおけるトップシート１１の外側縁を覆い、トップシート１１よりも幅方向Ｗの外側へ延びている。サイドシート１２は、立体ギャザー５を構成する。立体ギャザー５については、後述にて詳細に説明する。非肌面シート２０は、液不透過性のシートである。ウイング３及びヒップフラップ４は、サイドシート１２と非肌面シート２０によって構成されている。サイドシート１２及び非肌面シート２０は、ウイング３を構成するウイングシートである。
【００４２】
図２に示すように、非肌面シート２０の非肌対向面には、吸収性物品１を下着に接合するための接合部６０が設けられている。接合部６０は、吸収体３０と重なる領域に配置された一対の本体接合部６１と、ウイング３に配置された一対のウイング接合部６２と、ヒップフラップ４に配置された一対のフラップ接合部６３と、を有する。本体接合部６１は、吸収体の幅方向の中心を通り、かつ長手方向に沿う幅中心線３０ＷＬ上に設けられてなく、幅中心線３０ＷＬに対して幅方向の両側に設けられている。高目付領域３１の少なくとも一部及び低目付領域３２の少なくとも一部は、接合部が配置されていない領域と重なっている。接合部６０は、使用前の状態において剥離シート（図示せず）又は吸収性物品を個別に包装する包装シート（図示せず）によって覆われている。
【００４３】
なお、本明細書における「吸収体の目付」の測定は、以下の測定方法によって行われるものとする。
吸収性物品１がパッケージなどに封入されている場合には、パッケージから取り出し、その状態にて20℃±2℃、相対湿度60％±5％RHの雰囲気下において12時間放置したサンプルを用いる。
包装体によって包装された吸収性物品においては包装体を開封し、折り畳まれた吸収性物品を展開して、目付を測定する部分の厚み及び面積を測定する。次いで、目付を測定する部分を吸収性物品から切り出し、切り出した部分の重量を測定する。次いで、切り出した部分から肌面シート及び非肌面シート等、吸収体以外の部分を取り除き、吸収体の重量を測定する。吸収体の重量と、目付を測定する部分の面積とに基づいて目付を算出する。
【００４４】
また、本明細書における「長さ」の測定は、以下の測定方法によって行われるものとする。
吸収性物品１がパッケージなどに封入されている場合には、パッケージから取り出し、その状態にて20℃±2℃、相対湿度60％±5％RHの雰囲気下において12時間放置したサンプルを用いる。次いで、シンワ測定株式会社製のスプリングメジャー（テープ：ガラス繊維入塩ビ被覆）を用いて、測定対象部位に沿わせるようにして、測定対象部位のこの状態の長さを測定する。ここで、１０サンプルに対して、それぞれの状態で上述の測定を行い、その平均値を、長さとした。
【００４５】
（２）立体ギャザーの構成
吸収性物品１は、幅中心線３０ＣＬよりも幅方向の両外側にそれぞれ配置された一対の立体ギャザー５を有する。立体ギャザー５は、サイドシート１２と、弾性部材１５と、によって構成されている。サイドシート１２は、長手方向Ｌに沿った折り線を基点に非肌対向面側に折り返され、少なくとも２層に重ねられている。弾性部材１５は、サイドシート１２間に配置されている。弾性部材１５は、長手方向Ｌに伸長した状態でサイドシート１２に接合されている。
【００４６】
一対の立体ギャザー５は、幅中心線３０ＷＬに対して線対称である。一対の立体ギャザー５は、幅中心線３０ＷＬに対して幅方向の一方側に位置する第１立体ギャザー５Ａと、幅中心線３０ＷＬに対して幅方向Ｗの他方側に位置する第２立体ギャザー５Ｂと、を有する。第１立体ギャザー５Ａと、第２立体ギャザー５Ｂは、幅方向Ｗにおいて離間している。
【００４７】
第１立体ギャザー５Ａと第２立体ギャザー５Ｂのそれぞれは、起立部５３と、第１基端部５１と、第２基端部５２と、を有する。起立部５３は、弾性部材１５によって長手方向Ｌに収縮し、かつ肌対向面側Ｔ１に起立可能に構成されている。起立部５３は、トップシート１１に接合されてなく、弾性部材１５が収縮することにより、トップシート１１に対して肌対向面側Ｔ１に起立する。起立部５３は、肌面シートとしてのトップシート１１に対して起立可能に構成されていればよく、弾性部材１５が配置されてない領域を含む。
【００４８】
第１基端部５１は、起立部５３よりも長手方向Ｌの両外側のそれぞれに配置されている。第１基端部５１は、肌面シートとしてのトップシート１１に固定され、肌対向面側Ｔ１に起立不能である。第１基端部５１は、起立部５３の前側と、起立部５３の後側と、に設けられている。起立部５３の前側に位置する第１基端部５１の後端縁は、前側域Ｓ２に位置し、後述する第１圧搾溝８１の前端縁よりも前側に位置し、後述する第２前側圧搾溝８２１の後端縁よりも前側に位置する。起立部５３の後側に位置する第１基端部５１の前端縁は、後側域Ｓ３に位置し、第１圧搾溝８１の後端縁よりも後側に位置し、後述する第２後側圧搾溝８２２の前端縁よりも後側に位置する。
【００４９】
第１基端部５１は、第２基端部５２よりも幅方向Ｗの内側に位置し、立体ギャザー５の内側縁に沿って直線状に設けられている。第１基端部５１の少なくとも一部は、吸収体３０の外側縁３０Ｅよりも幅方向Ｗの内側に配置されている。第１基端部５１は、ウイング３が配置された領域よりも長手方向Ｌの外側に位置する。ウイング３が配置された領域は、着用時に着用者に対して密着し、ウイング３よりも長手方向Ｌの外側の領域は、ウイング３が配置された領域と比較して、着用者に対して離れて配置され易い。よって、着用時に第１基端部５１を基点に立体ギャザー５が起立し易くなる。
【００５０】
第２基端部５２は、起立部５３よりも幅方向Ｗの外側に配置されており、長手方向に沿って直線状に設けられている。第２基端部５２は、肌面シートとしてのトップシート１１に固定され、肌対向面側に起立不能である。第２基端部５２の前端縁は、前側域Ｓ２に位置し、第１圧搾溝８１の前端縁よりも前側に位置し、第２前側圧搾溝８２１の後端縁よりも前側に位置する。第２基端部５２の後端縁は、後側域Ｓ３に位置し、第１圧搾溝８１の後端縁よりも前側に位置し、第２後側圧搾溝８２２の前端縁よりも後側に位置する。
【００５１】
図３に示すように、第２基端部５２は、少なくとも股下域Ｓ１において吸収体３０の外側縁３０Ｅよりも幅方向の外側に配置されている。第２基端部５２と吸収体３０の外側縁３０Ｅとの距離は、５ｍｍ以下である。第２基端部５２と吸収体３０の外側縁３０Ｅとの距離が５ｍｍ以下であることにより、第２基端部５２と吸収体３０との間の領域がたくれることを抑制し、吸収体上に配置され難くなる。よって、吸収体の肌対向面側をサイドシート等によって覆われることを抑制し、吸収性を維持し、横漏れを抑制できる。
【００５２】
第１基端部５１及び第２基端部５２は、長手方向Ｌに延びる直線形状である。第１基端部５１の一部と第２基端部５２の一部は、幅方向において重なっている。第１基端部５１の内端縁の長手方向における位置と第２基端部５２の外側縁の長手方向における位置とは、略一致している。第１基端部５１と第２基端部５２の間は、第１基端部５１の内端縁と第２基端部５２の外端縁を結ぶように基端部が設けられている。
【００５３】
起立部５３は、着用時に第１基端部５１及び第２基端部５２を基点に立ち上がる。立体ギャザー５の頂部５４は、立体ギャザー５が起立した際に最も肌対向面側に立ち上がる部分であり、前側の第１基端部５１の内端縁における内側縁５１１と後側の第１基端部５１の内端縁における内側縁５１２を繋ぐように形成される。各立体ギャザーの起立可能な幅方向Ｗの長さは、第１基端部５１の内端縁における内側縁５１１、５１２と第２基端部５２との幅方向の距離となる。第１基端部５１が第２基端部５２よりも幅方向Ｗの内側に位置していることにより、立体ギャザー５の起立可能な幅方向の長さを確保できる。起立可能な空間によって体液を一時的に保持し、体液の横漏れを防止できる。
【００５４】
このように構成された吸収性物品１を装着する際は、本体接合部６１を下着の肌対向面に固定し、次いで、ウイング３を下着の非肌対向面側に引っ張って、ウイング接合部６２を下着の非肌対向面に固定する。装着時にウイング３を引っ張ることにより、ウイングシートであるサイドシート１２及び非肌面シート２０が幅方向Ｗの外側に引っ張られ、サイドシート１２を介して第２基端部５２も幅方向の外側に引っ張られる。第２基端部５２は、装着時に幅方向Ｗの外側に移動し、着用者の排泄口の側方において立体ギャザー５が起立し易くなる。よって、体液の横漏れを抑制できる。
【００５５】
また、第１立体ギャザー５Ａの第１基端部５１の内端縁における内側縁５１１と第２立体ギャザー５Ｂの第１基端部５１の内端縁における内側縁５１２を繋ぐ仮想線ＶＬは、一対の立体ギャザーの立ち上がりの基点同士を繋ぐ仮想線であり、仮想線ＶＬの長さが第１立体ギャザー５Ａと第２立体ギャザー５Ｂによって挟まれる空間の長さとなる。吸収性物品１の平面視において、仮想線ＶＬを跨いて本体接合部６１が配置されている。仮想線ＶＬの少なくとも一部と、本体接合部６１の少なくとも一部とは、厚み方向Ｔにおいて重なっている。本体接合部６１と重なる領域は、着用状態で下着に接合されており、着用時に変形し難い。よって、第１立体ギャザー５Ａの頂部の基点と第２立体ギャザー５Ｂの頂部の基点の間に、着用時に変形し難い領域が設けられる。そのため、立体ギャザー５が幅方向Ｗの内側に移動し過ぎることを抑制し、着用者の股間部の側方の位置において立体ギャザー５の起立性を維持し易くなる。
【００５６】
（３）圧搾溝の構成
図１に示すように、吸収体３０には、圧搾溝８０が形成されている。圧搾溝８０は、少なくとも吸収体３０を厚み方向Ｔに圧搾することによって形成されている。圧搾溝は、一対の第１圧搾溝８１と、複数の第２圧搾溝８２と、を少なくとも有する。
【００５７】
一対の第１圧搾溝８１は、吸収体の幅方向の中心を通る幅中心線３０ＷＬよりも幅方向の両外側のそれぞれに配置されている。第１圧搾溝８１は、長手方向Ｌに延びており、少なくとも股下域Ｓ１に設けられている。一対の第１圧搾溝８１は、互いに幅方向に離間している。第１圧搾溝８１は、高目付領域３１の外側縁に沿って配置され、幅方向Ｗの外側に膨らんだ形状を有する。
【００５８】
複数の第２圧搾溝８２は、長手方向Ｌに延びており、互いに非平行に配置されている。複数の第２圧搾溝８２のうち幅方向Ｗに隣接する第２圧搾溝８２が互いに非平行に配置された部分を有していればよい。本実施の形態において幅方向に隣接する第２圧搾溝８２が非平行とは、一方の第２圧搾溝８２と他方の第２圧搾溝８２の幅方向の距離が変化していることである。
【００５９】
第２圧搾溝８２は、第１圧搾溝８１よりも前側に位置する第２前側圧搾溝８２１と、第１圧搾溝８１よりも後側に位置する第２後側圧搾溝８２２と、を有する。第２前側圧搾溝８２１は、前側域Ｓ２において４本形成されている。幅中心線３０ＷＬに対する幅方向Ｗの一方側に配置された第２前側圧搾溝８２１は、前端縁同士が連なっており、幅中心線３０ＷＬに対する幅方向の他方側に配置された第２前側圧搾溝８２１は、前端縁同士が連なっている。幅中心線３０ＷＬを挟んで配置された第２前側圧搾溝８２１は、幅方向において離間している。
【００６０】
第２後側圧搾溝８２２は、後側域Ｓ３において低目付領域３２よりも幅方向の外側に位置し、４本形成されている。幅中心線３０ＷＬに対する幅方向の一方側に配置された第２後側圧搾溝８２２は、前端縁同士及び後端縁同士が連なっており、中心線に対する幅方向の他方側に配置された第２後側圧搾溝８２２は、前端縁同士及び後端縁同士が連なっている。幅中心線３０ＷＬを挟んで配置された第２後側圧搾溝８２２は、幅方向において離間している。
【００６１】
吸収性物品は、複数の第２圧搾溝８２によって挟まれた圧搾領域を有する。圧搾領域は、幅方向において隣接する第２圧搾溝８２によって挟まれた領域である。圧搾領域は、第２圧搾溝８２同士が非平行に配置されているため、面形状となり易く、着用時に変形し難い領域となる。圧搾領域は、第２前側圧搾溝８２１間に設けられた前側圧搾領域Ｒ８２１と、第２後側圧搾溝８２２間に設けられた後側圧搾領域Ｒ８２２と、を有する。図１において、前側圧搾領域Ｒ８２１と後側圧搾領域Ｒ８２２に斜線を付している。
【００６２】
前側圧搾領域Ｒ８２１は、幅中心線３０ＷＬに対する幅方向の一方側に位置する第２前側圧搾溝８２１によって挟まれた前側圧搾領域Ｒ８２１と、幅中心線３０ＷＬに対する幅方向の他方側に位置する第２前側圧搾溝８２１によって挟まれた前側圧搾領域Ｒ８２１と、を有する。２つの前側圧搾領域は、幅方向において離間している。少なくとも一の前側圧搾領域Ｒ８２１は、第１立体ギャザー５Ａの第１基端部５１の内端縁における内側縁５１１と第２立体ギャザー５Ｂの第１基端部５１の内端縁にいける内側縁５１２とを繋ぐ仮想線ＶＬ上に設けられている。
【００６３】
後側圧搾領域Ｒ８２２は、幅中心線３０ＷＬに対する幅方向の一方側に位置する第２後側圧搾溝８２２によって挟まれた後側圧搾領域Ｒ８２２と、幅中心線３０ＷＬに対する幅方向Ｗの他方側に位置する第２後側圧搾溝８２２によって挟まれた後側圧搾領域Ｒ８２２と、を有する。２つの後側圧搾領域Ｒ８２２は、幅方向において離間しており、その間に低目付領域３２が配置されている。少なくとも一の後側圧搾領域Ｒ８２２は、第１立体ギャザー５Ａの第１基端部５１の内端縁における内側縁５１１と第２立体ギャザー５Ｂの第１基端部５１の内端縁における内側縁５１２とを繋ぐ仮想線ＶＬ上に設けられている。
【００６４】
第１立体ギャザー５Ａの第１基端部５１及び第２立体ギャザーの第１基端部５１は、前側圧搾領域Ｒ８２１及び後側圧搾領域Ｒ８２２によって幅方向Ｗの内側に移動し難い。立体ギャザー５の頂部の基点となる第１基端部５１が幅方向の内側に移動し難いため、立体ギャザー５の頂部が幅方向Ｗの内側に移動することを抑制できる。着用者の股下部の側方の位置において立体ギャザーを起立させ、体液の横漏れを抑制できる。
【００６５】
立体ギャザーの移動を抑制する効果を好適に得るために、前側圧搾領域Ｒ８２１の幅方向の長さ（複数の前側圧搾領域Ｒ８２１を有する構成においては、合計の長さ）は、仮想線が位置する吸収体の全幅に対する５０％以上であることが好ましく、後側圧搾領域Ｒ８２２の幅方向の長さ（複数の後側圧搾領域Ｒ８２２を有する構成においては、合計の長さ）は、仮想線が位置する吸収体の全幅に対する５０％以上であることが好ましい。
【００６６】
第１圧搾溝８１と第２圧搾溝８２は、長手方向Ｌ及び幅方向Ｗのうちいずれかにおいて離間している。第１圧搾溝８１と第２圧搾溝８２の長手方向Ｌにおける間には、周囲の吸収体よりも目付が低い低目付領域３２が設けられている。低目付領域３２の吸収材料の目付は、高目付領域３１の吸収材料の目付よりも低く、低目付領域３２よりも幅方向の外側の領域の吸収材料の目付よりも低い。低目付領域３２の少なくとも一部は、第１圧搾溝８１の後端縁と第２圧搾溝８２の前端縁との長手方向における間に配置されている。第１圧搾溝８１から幅方向Ｗの外側に延びる領域では、吸収体３０に重なるように第１基端部５１及び第２基端部５２が設けられていない。よって、立体ギャザーの基端部は、第１圧搾溝８１が幅方向の内側に変形した際に、第１圧搾溝８１と共に移動しない。
【００６７】
第１基端部５１と第１圧搾溝８１は、長手方向Ｌに離間している。第１基端部５１は、第１圧搾溝８１よりも長手方向Ｌの外側に位置する。着用時に吸収体３０が第１圧搾溝８１を基点にして幅方向Ｗの内側に移動した際に、第１圧搾溝８１と共に立体ギャザー５の第２基端部５２が幅方向Ｗの内側に移動することを抑制できる。また、第２基端部５２は、第１圧搾溝８１から幅方向Ｗの外側に延びる領域において吸収体３０の外側縁３０Ｅよりも幅方向の外側に位置する。そのため、着用時に吸収体３０が第１圧搾溝８１を基点にして幅方向Ｗの内側に移動した際に、第１圧搾溝８１と共に立体ギャザー５の第２基端部５２が幅方向Ｗの内側に移動することを抑制できる。立体ギャザーの起立性を維持し、体液の横漏れを抑制できる。
【００６８】
（４）着用時の変形態様
次いで、図６〜図８を用いて、着用時の変形態様について説明する。図６は、着用状態のＡ−Ａ線に沿った断面図である。図７及び図８は、吸収性物品の模式平面図であり、図７は、変形前の状態を示しており、図８は、変形後の状態を示している。着用時に吸収性物品には、幅方向Ｗの外側から幅方向の内側に向かう力がかかる。当該幅方向の内側に向かう力は、特に股下域Ｓ１の第１圧搾溝８１に掛かる。第１圧搾溝８１間の領域は、第１圧搾溝８１を起点として肌対向面側Ｔ１に隆起する。第１圧搾溝８１間の領域が肌対向面側に隆起することにより、股下域Ｓ１におけるフィット性が高まる。
【００６９】
図８に示すように、股下域Ｓ１の吸収体３０の外側縁３０Ｅは、第１圧搾溝８１間の領域が肌対向面側に隆起することによって、幅方向Ｗの内側に移動する。このとき、第２基端部５２は、股下域Ｓ１において吸収体３０の外側縁３０Ｅよりも幅方向Ｗの外側に配置されており、吸収体３０と共に移動せず、吸収体３０に引っ張られて幅方向Ｗの内側に移動する。よって、立体ギャザー５全体が吸収体と共に幅方向の内側に移動せず、立体ギャザーの幅方向の内側への移動量を吸収体３０の外側縁３０Ｅの幅方向の内側への移動量よりも少なくできる。よって、着用者の股下部の側方の位置において立体ギャザーの起立性を維持し、体液の横漏れを抑制できる。
【００７０】
また、前側域Ｓ２及び後側域Ｓ３は、股下域Ｓ１よりも幅方向Ｗの内側に向かう力が掛かり難く、前側域Ｓ２及び後側域Ｓ３に位置する第１基端部５１は、幅方向Ｗの内側に移動し難い。更に、第１基端部５１は、吸収体３０上に配置されており、着用時に幅方向の内側に向かう力がかかった際に、吸収体３０の剛性によって幅方向Ｗの内側に移動し難い。加えて、第１基端部５１の内端縁同士を繋ぐ仮想線ＶＬ上に前側圧搾領域Ｒ８２１及び後側圧搾領域Ｒ８２２が配置されている。前側圧搾領域Ｒ８２１及び後側圧搾領域Ｒ８２２は、面形状を維持し易く、幅方向Ｗの内側に向かう力に対して変形し難く構成されている。着用時に幅方向の内側に向かう力がかかった際に、第１基端部５１が幅方向の内側に移動し難いことにより、立体ギャザーの頂部５４は、変形前の位置を維持し易い。よって、股下域において、立体ギャザーの頂部５４の幅方向の内側への移動量が、吸収体３０の外側縁３０Ｅの幅方向の内側への移動量よりも小さくなる。
【００７１】
また、図２に示すように、吸収性物品の平面視において、仮想線ＶＬを跨いて本体接合部６１が配置されている。本体接合部６１の前端縁は、前側域Ｓ２の仮想線ＶＬよりも前側に位置し、本体接合部６１の後端縁は、後側域Ｓ３の仮想線よりも後側に位置する。本体接合部６１と重なる領域は、着用状態で下着に接合され、幅方向Ｗの内側に向かう力に対して変形し難く構成されている。よって、立体ギャザーの頂部の基点となる第１基端部５１は、着用時に幅方向の内側に向かう力がかかった際に下着に対して接合した領域によって幅方向の内側に移動し難い。
【００７２】
吸収性物品の平面視において、第１基端部５１から幅方向の外側に延びる領域にフラップ接合部６３が配置されている。フラップ接合部６３の前端縁は、第１基端部の前端縁よりも後側に位置する。第１基端部５１から幅方向の外側に延びる領域は、フラップ接合部を介して下着に接合され、幅方向Ｗの内側に向かう力に対して変形し難く構成されている。よって、第１基端部５１は、後側域において幅方向の内側により移動し難い。
【００７３】
このように、立体ギャザーの第１基端部５１が幅方向の内側に移動し難く構成されているため、身体の側方において立体ギャザー５の起立性を維持し、体液の横漏れを抑制できる。着用時に立体ギャザー５の頂部５４が幅方向の内側に移動することを抑制し、立体ギャザー５によってトップシート１１を覆い難くなる。よって、股下域における吸収体３０のフィット性を高めるとともに、立体ギャザー５によって体液の横漏れを抑制できる。
【００７４】
また、後側域Ｓ３の吸収体３０は、幅中心線３０ＷＬを挟んで配置される第２後側圧搾溝８２２間の領域が肌対向面側に隆起し、臀部間の隙間にフィットする。より詳細には、第２後側圧搾溝８２２を基点として、低目付領域３２が肌対向面側に隆起する。このとき、吸収性物品の平面視にいて低目付領域３２と接合部が重ならないように構成されているため、低目付領域３２は、肌対向面側Ｔ１に隆起し易い。臀部間の隙間に吸収性物品がフィットすることにより、股下域Ｓ１のみならず後側域Ｓ３におけるフィット性も高めることができる。
【００７５】
また、仮想線ＶＬ上に後側圧搾領域Ｒ８２２が設けられていることにより、臀部間の隙間にフィットするように吸収体３０が肌対向面側に隆起した際に、起立部５３よりも後側に位置する第１基端部５１が幅方向の内側に移動することを抑制し、立体ギャザー５を臀部の膨らみの側方に配置し易くなる。よって、立体ギャザー５によって体液の横漏れを防止できる。
【００７６】
着用時に、第１圧搾溝８１は、肌対向面側に隆起する変形基点となり、第２圧搾溝８２は、平面状態を維持する基点となり、第１圧搾溝８１の周囲の厚み方向における断面形状と、第２圧搾溝８２の周囲の厚み方向における断面形状と、は異なる。本実施の形態の第１圧搾溝８１と第２圧搾溝８２は、互いに異なる形状を実現し易いように構成されている。具体的には、第１圧搾溝８１と第２圧搾溝８２は、吸収性物品の平面視において離間している。第１圧搾溝８１と第２圧搾溝８２が離間していることにより、一方の変形態様が互いに伝わり難くなり、第１圧搾溝８１を基点として肌対向面側に隆起した吸収体の変形状態と、第２圧搾溝８２によって挟まれた平面を維持する状態と、をそれぞれ実現しやすくなる。加えて、第１圧搾溝８１と第２圧搾溝８２の間に低目付領域３２が設けられている。低目付領域によって第１圧搾溝８１と第２圧搾溝８２間の力の伝達を断ち切り易くなり、第１圧搾溝８１を基点として肌対向面側に隆起した吸収体の変形状態と、第２圧搾溝８２によって挟まれた平面を維持する状態と、をそれぞれ実現しやすくなる。更に、第１圧搾溝８１と第２圧搾溝８２の間には、接合部と重ならない領域が設けられている。接合部と重ならない領域は、着用状態で下着に接合されてなく、着用時に変形し易い。接合部と重ならない領域によって第１圧搾溝８１と第２圧搾溝８２間の力の伝達を断ち切り易くなり、第１圧搾溝８１を基点として肌対向面側に隆起した吸収体の変形状態と、第２圧搾溝８２によって挟まれた平面を維持する状態と、をそれぞれ実現しやすくなる。
【００７７】
着用時に幅方向の内側に向かう力がかかると、吸収体は、第１圧搾溝を変形基点として、第１圧搾溝よりも幅方向の内側の領域が肌対向面側に隆起し、また吸収体が押圧されて、吸収体の幅方向の長さが短くなる。この幅方向の内側に掛かる力によって股下域の高目付領域３１が隆起する。股下域の長手方向の中央に位置する吸収体の移動量は、第１基端部が配置された吸収体の移動量よりも大きい。各立体ギャザーにおける第１圧搾溝８１と吸収体３０の外側縁３０Ｅとの間の領域は、第１圧搾溝よりも幅方向の内側の領域と比較して剛性が低く、股下域Ｓ１の長手方向中央に位置する吸収体３０の幅方向における移動量となる。この吸収体３０の幅方向Ｗの移動量は、吸収体３０の外側縁３０Ｅと第１圧搾溝８１との幅方向における距離Ｌ１となる。吸収体３０の外側縁３０Ｅと第１圧搾溝８１との幅方向Ｗにおける距離をＬ１、第１基端部５１の内端縁における内側縁と第２基端部５２との幅方向における距離をＬ２とした場合に、Ｌ２の２倍の長さがＬ１よりも長いことが望ましい。
【００７８】
吸収体の移動量Ｌ１がＬ２よりも短い場合には、吸収体３０の外側縁３０Ｅは、立体ギャザーの頂部よりも幅方向の外側に位置している。また、吸収体の移動量Ｌ１がＬ２と同じ長さである場合には、吸収体３０の外側縁３０Ｅは、立体ギャザー５の頂部の直下に位置する。更に、吸収体３０が幅方向Ｗの内側に移動し、吸収体３０の移動量Ｌ１がＬ２の２倍よりも長くなると、吸収体３０の移動に伴って第２基端部５２が幅方向の内側に引っ張られる。Ｌ２の２倍の長さよりもＬ１が短いことにより、吸収体３０が幅方向２の内側に移動した際に、吸収体３０と共に第２基端部５２が幅方向の内側に移動し難くなる。よって、立体ギャザー全体が幅方向の内側に移動することを抑制し、立体ギャザーの起立性を維持することができる。
【００７９】
以上、上述の実施形態を用いて本発明について詳細に説明したが、当業者にとっては、本発明が本明細書中に説明した実施形態に限定されるものではないということは明らかである。
【００８０】
ここで、吸収性物品としての使い捨ておむつは、排泄物である便を身体から離して保持することが求められ、着用者の排泄口に対して吸収体を密着させ過ぎないように構成される。これに対して、本実施の形態に係る生理用ナプキンは、体液の伝え漏れを抑制することが求められ、着用者の排泄口に対して吸収体を密着させるように構成される。本実施の形態の吸収性物品によれば、吸収体の股下域のフィット性を高めつつ、体液の横漏れを抑制でき、生理用ナプキンにおいて好適に適用できる。
【００８１】
また、実施の形態の吸収性物品は、立体ギャザーを構成するサイドシート１２が第１基端部及び第２基端部において肌面シートであるトップシート１１に固定されている。しかし、変形例に係る吸収性物品において、サイドシートが長手方向に沿う折り線を基点に折り畳まれ、立体ギャザーを構成するサイドシート１２が第１基端部及び第２基端部において肌面シートであるサイドシート１２に固定されていてよい。加えて、第２基端部が固定されるウイングシートは、サイドシート１２に限定されず、サイドシートと別のシートであってよい。
【００８２】
本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【符号の説明】
【００８３】
１        ：吸収性物品
３          ：ウイング
５          ：立体ギャザー
５Ａ        ：第１立体ギャザー
５Ｂ        ：第２立体ギャザー
１０        ：肌面シート
１１        ：トップシート
１２        ：サイドシート
１５        ：弾性部材
２０        ：非肌面シート
３０        ：吸収体
３０Ｅ      ：外側縁
３０ＷＬ    ：幅中心線
３１        ：高目付領域
３２        ：低目付領域
５１        ：第１基端部
５１１、５１２      ：第１基端部の内端縁における内側縁
５２        ：第２基端部
５３        ：起立部
６０        ：接合部
６１        ：本体接合部
６２        ：ウイング接合部
６３        ：フラップ接合部
８０        ：圧搾溝
８１        ：第１圧搾溝
８２        ：第２圧搾溝
８２１      ：第２前側圧搾溝
８２２      ：第２後側圧搾溝
Ｒ８２１    ：前側圧搾領域
Ｒ８２２    ：後側圧搾領域
ＶＬ        ：仮想線
Ｓ１        ：股下域
Ｓ２        ：前側域
Ｓ３        ：後側域
Ｌ          ：長手方向
Ｔ          ：厚み方向
Ｔ１        ：肌対向面側
Ｔ２        ：非肌対向面側
Ｗ          ：幅方向
【図１】
2018000248.tif 000003
【図２】
2018000248.tif 000004
【図３】
2018000248.tif 000005
【図４】
2018000248.tif 000006
【図５】
2018000248.tif 000007
【図６】
2018000248.tif 000008
【図７】
2018000248.tif 000009
【図８】
2018000248.tif 000010